(57)【要約】      （修正有）【課題】後方ライトによる警告効果を高めることができるライト式補助警告機能付き自動車リアバンバーのアッパーガードプレートを提供する。【解決手段】アッパーガードプレートは、長く延伸されたプレート体であり、リアバンバーに固定される下表面１０と、反対側の上表面２０とを備える。所定の箇所に、少なくとも一つの照明器具収納部３０が設けられ、照明器具収納部は、長く延伸されたスペースであり、アッパーガードプレートの後側に向かって設けられた光線通過口３１と、照明器具収納部内に収められる細長型照明器具３２とを備える。細長型照明器具は、光線通過口に対応するように設けられた発光体３４と、発光体に電力を供給する給電線路とを備える。発光体の光線が光線通過口を通してアッパーガードプレートの後側に照射されるので、警告効果を高めることができる。【選択図】図２
0003192053.tif 000002
【実用新案登録請求の範囲】
【請求項１】
ライト警告機能付き自動車リアバンバーのアッパーガードプレートであって、
自動車のリアバンバー（０５）の上方の所定の位置に固定され、かつ自動車のリアトランクドア（０６）の下方に位置するアッパーガードプレート（Ａ）を含み、
該アッパーガードプレート（Ａ）は、長く延伸されたプレート体であり、前記リアバンバー（０５）の上方の所定の位置に固定される下表面（１０）と、上方に向かっている上表面（２０）とを備えてなり、
前記アッパーガードプレート（Ａ）の少なくともの一つの箇所には、少なくともの一つの照明器具収納部（３０）が設けられ、該照明器具収納部（３０）は、長く延伸されたスペースであり、かつアッパーガードプレート（Ａ）の後側に向かって設けられた光線通過口（３１）と、該照明器具収納部（３０）内に収納される細長型照明器具（３２）とを備えてなり、
該細長型照明器具（３２）は、前記光線通過口３１に対応するように設けられる少なくともの一発光体（３４）と、該発光体（３４）が発光するように電力を供給する給電線路（３５）とを備えてなり、
前記発光体（３４）が発光するとき、その光線が光線通過口（３１）を通してアッパーガードプレート（Ａ）の後側に照射されることにより、アッパーガードプレート（Ａ）によるライト式補助警告効果を奏することを特徴とするライト式補助警告機能付き自動車リアバンバーのアッパーガードプレート。
【請求項２】
前記照明器具収納部（３０）は、アッパーガードプレート（Ａ）の上表面（２０）に突出した形状に形成され、該照明器具収納部（３０）の光線通過口（３１）は、アッパーガードプレート（Ａ）の後側の一縁、又はアッパーガードプレート（Ａ）の後側の一縁に凹設された箇所に設けられることを特徴とする請求項１に記載のライト式補助警告機能付き自動車リアバンバーのアッパーガードプレート。
【請求項３】
前記細長型照明器具（３２）は、長形照明ソケット（３３）を更に備えてなり、該長形照明ソケット（３３）は、発光体（３４）と給電線路（３５）を一体に係合させ、該長形照明ソケット（３３）とアッパーガードプレート（Ａ）とは、係合方法又は一体成形方法により一体に係合されることを特徴とする請求項２に記載のライト警告機能付き自動車リアバンバーのアッパーガードプレート。
【請求項４】
前記光線通過口（３１）には、発光体３４が発した光線を拡散させるための光線拡散インターフェース（３６）が更に設けられており、該光線拡散インターフェース（３６）の具体的な形状として、立体菱形面、砂面、導光スティックのうちのいずれかの一種を採用することを特徴とする請求項３に記載のライト式補助警告機能付き自動車リアバンバーのアッパーガードプレート。
【請求項５】
前記細長型照明器具（３２）の発光体（３４）は、長形照明ソケット（３３）の一側に間隔を置いて並んでいる複数のＬＥＤから構成され、該発光体（３４）の発光形式は、複数の発光体が同時点滅する形状、マーキーライトのように所定の発光体が点滅する形式、又はその２つを組合せた形式を含むことを特徴とする請求項４に記載のライト式補助警告機能付き自動車リアバンバーのアッパーガードプレート。
【請求項６】
前記細長型照明器具（３２）の給電線路（３５）は、自動車の既有のブレーキライトの電気回路、方向表示灯の電気回路、警告灯の電気回路のうちのいずれかの一つに電気接続されることを特徴とする請求項５に記載のライト式補助警告機能付き自動車リアバンバーのアッパーガードプレート。
【考案の詳細な説明】
【技術分野】
【０００１】
本考案は、自動車リアバンバーのアッパーガードプレート構造に関わり、特にライト式補助警告機能付き自動車リアバンバーのアッパーガードプレートの新規な構造形態に関する。
【背景技術】
【０００２】
従来の自動車のリアライトは、構造上、主にテールライト、リア方向表示灯、リアブレーキライト及び第三ブレーキライトなどを含む。
【０００３】
自動車のリアライトは、自動車の夜間走行の安全にとって非常に重要なものである。前述した従来の自動車のリアライト構造は、完全に問題がないように見えるが、実際に応用するとき、たまに問題が起こることがある。自動車の照明設備は一定期間使用した後、故障や毀損などのハプニングが発生する恐れがある。そのような問題が夜間走行時に起こるとき、自動車後方の発光警告效果が大きく影響され、かつ運転の安全を阻害する。そのような欠点を解決するため、実用性を有する新自動車照明用補助製品を開発するのが、関連業界がいま抱えている重要な技術的な課題になっている。
【０００４】
自動車のリアバンバーの上方の所定の位置に固定されるアッパーガードプレートは、常用する自動車部品の一つであり、広い平坦上部面を有する自動車のリアバンバーに基づいて該アッパーガードプレートをデザインする。該アッパーガードプレートは、リアバンバーの上表面が物との直接摩擦などにより傷を負うことを防止する保護効果を果たし、かつアッパーガードプレートに縞模様を設けることにより、滑り止めの効果と、見た目と品質を向上させる効果とを奏することができる。
【０００５】
従来のアッパーガードプレート構造は、構造が簡単で、通常縞模様付きの長形プレートに過ぎない。すなわち、従来のアッパーガードプレート構造が他の付加機能を有していないので、それを改善する余地が残されている。本考案は、従来の自動車のリアライトが有している問題や欠点を解決するため、新規な構造を有するアッパーガードプレートを提供する。
【０００６】
それゆえ、上述した従来の問題点について、より理想的で実用性のあるオリジナルな構造を開発するのが、使用者の望むことで、関連業者が努力して開発していく目標と方向でもある。
【０００７】
それに鑑みて、考案者は関連製品の製造開発と設計に携わる長年の経験を持っており、上述した目標について、詳しく設計、慎重に評価したうえ、ようやく実用性のある本考案を得られたわけである。
【考案の概要】
【考案が解決しようとする課題】
【０００８】
本考案は、ライト式補助警告機能付き自動車リアバンバーのアッパーガードプレートを提供することを目的とする。この考案が解決しようとする課題は、より理想的で、実用性のある新規な自動車のリアバンバーのアッパーガードプレート構造を開発することにある。
【課題を解決するための手段】
【０００９】
従来の問題を解決するため、次のようなライト警告機能付き自動車リアバンバーのアッパーガードプレートを提供する。該ライト警告機能付き自動車リアバンバーのアッパーガードプレートは、自動車のリアバンバーの上方の所定の位置に固定され、かつ自動車のリアトランクドアの下方に位置するアッパーガードプレートを含む。該アッパーガードプレートは、長く延伸されたプレート体であり、該リアバンバーの上方の所定の位置に固定された下表面と、上方に向かっている上表面とを備えてなる。本考案の課題を解決する技術的特徴は、次のとおりである。該アッパーガードプレートの少なくともの一つの箇所には、少なくともの一照明器具収納部が設けられる。該照明器具収納部は、長く延伸されたスペースであり、かつアッパーガードプレートの後側に向かって設けられた光線通過口と、該照明器具収納部内に収納される細長型照明器具とを備えてなる。該細長型照明器具は、該光線通過口に対応するように設けられる少なくともの一つの発光体と、該発光体が発光するように電力を供給する給電線路とを備えてなる。
【考案の効果】
【００１０】
このようなオリジナルな設計による本考案は背景技術に対して、この考案の前記発光体が発光するとき、その光線が光線通過口を通してアッパーガードプレートの後側に照射されるので、アッパーガードプレートによるライト式補助警告効果を奏することができる。それにより、自動車のリアバンバーのアッパーガードプレートの付加機能や付加価値を向上させ、自動車の後方ライトによる警告效果が高められ、安全運転につながるという実用性と進歩性がある。
【図面の簡単な説明】
【００１１】
【図１】本考案のアッパーガードプレートを自動車のリアバンバーの上方の所定の位置に固定したことを示す立体図である。
【図２】本考案のアッパーガードプレート構造の好適な実施例を示す立体図である。
【図３】本考案の細長型照明器具とアッパーガードプレートとを示す分解斜視図である。
【図４】本考案の細長型照明器具とアッパーガードプレートとの組立状態を示す断面図（注：アッパーガードプレートのみの切断）である。
【図５】本考案の細長型照明器具の発光体と自動車のブレーキライトとが同時点滅することを示す実施例図である。
【図６】本考案の細長型照明器具の発光体と自動車の方向表示灯とが同時点滅することを示す実施例図である。
【図７】本考案の光線通過口がアッパーガードプレートの後側縁に凹設された箇所に設けられたことを示す実施例立体図である。
【図８】図７の実施例を示す剖視図（注：アッパーガードプレートのみの切断）である。
【図９】本考案の光線通過口に光線拡散インターフェースが設けられたことを示す実施例図である。
【図１０】本考案の他の実施例に係るアッパーガードプレートの組立形態示す図である。
【図１１】図１０の実施例に係る自動車のリアトランクドアを示す局所拡大図である。
【考案を実施するための形態】
【００１２】
図１〜図４を参照すると、本考案のライト式補助警告機能付き自動車リアバンバーのアッパーガードプレートの好適な実施例が示されている。これらの実施例は、本考案を説明するためのものであるが、本考案の構造を限定するものではない。本考案のアッパーガードプレートＡは、自動車のリアバンバー０５の上方の所定の位置に固定され、かつ自動車のリアトランクドア０６の下方に位置する。該アッパーガードプレートＡは、長く延伸されたプレート体であり、前記リアバンバー０５の上方の所定の位置に固定される下表面１０と、上方に向かっている上表面２０とを備えてなる。該アッパーガードプレートＡの少なくともの一つの箇所には、少なくともの一つの照明器具収納部３０が設けられる。該照明器具収納部３０は、長く延伸されたスペースであり、かつアッパーガードプレートＡの後側に向かって設けられた光線通過口３１と、該照明器具収納部３０内に収納される細長型照明器具３２とを備えてなる。該細長型照明器具３２は、該光線通過口３１に対応するように設けられる少なくともの一つの発光体３４と、該発光体３４が発光するように電力を供給する給電線路３５とを備えてなる。
【００１３】
上述した構造を有する本考案のアッパーガードプレートＡにおいて、前記発光体３４が発光するとき、その光線が光線通過口３１を通して、アッパーガードプレートＡの後側に照射されるので、アッパーガードプレートＡによるライト式補助警告効果を奏することができる。
【００１４】
図２〜図４に示すとおり、前記照明器具収納部３０は、アッパーガードプレートＡの上表面２０から突出した突出形状に形成されている。該照明器具収納部３０の光線通過口３１は、アッパーガードプレートＡの後側の一縁に設けられるか、或いは図７に示したように、アッパーガードプレートＡの後側の一縁に凹設された箇所に設けられる。
【００１５】
図３、図４に示すとおり、前記細長型照明器具３２は、長形照明ソケット３３を更に備える。該長形照明ソケット３３は、発光体３４と給電線路３５を一体に係合させる。該長形照明ソケット３３とアッパーガードプレートＡとは、係合方法（図３）又は一体成形方法（図示略）により一体に係合される。
【００１６】
図９に示すとおり、前記光線通過口３１には、発光体３４が発した光線（矢印Ｌ２）を拡散させるための光線拡散インターフェース３６が更に設けられている。本考案の光線拡散インターフェース３６は直接に、該長形照明ソケット３３構造の先端に設けることができる。該光線拡散インターフェース３６の具体的な形状として、立体菱形面、砂面又は導光スティックなどを採用することができる。
【００１７】
図３に示すとおり、前記細長型照明器具３２の発光体３４は、長形照明ソケット３３の一側に間隔を置いて並んでいる複数のＬＥＤから構成される。該発光体３４の発光形式は、複数の発光体が同時点滅する形式、マーキーライトのように所定の発光体が点滅する形式、又はその２つの組合せの形式を含む。
【００１８】
前記細長型照明器具３２の給電線路３５は、自動車の既有のブレーキライトの電気回路、方向表示灯の電気回路、警告灯の電気回路のうちのいずれかの一つに電気接続される。図５に示すことは、該細長型照明器具３２の発光体３４と自動車既有のブレーキライトとが同時点滅する実施例であり、図６に示すことは、該細長型照明器具３２の発光体３４と自動車既有の方向表示灯とが同時点滅する実施例である。図６に示す実施例において、細長型照明器具３２の発光体３４は、マーキーライトのように発光する形式（図６の矢印Ｌ１が示すとおり、発光体３４は、図中の右側の方向表示灯の点灯と共に発光し、かつかつライトが左から右へ向かって順番に発光することにより、方向表示灯の指向性を示す）に設けられている。
【００１９】
図１０、図１１に示すとおり、前記照明器具収納部３０がアッパーガードプレートＡの上表面２０から突出した突出形状に形成される場合、自動車のリアトランクドア０６を後ろから開けるとき、突出した該照明器具収納部３０の高さが該自動車のリアトランクドア０６を開けることに（図１１の矢印Ｌ３）に影響せず、阻害しないように設けなければならない。
【００２０】
本考案に掲示されているライト式補助警告機能付き自動車リアバンバーのアッパーガードプレートにおいて、前記アッパーガードプレートには突出した照明器具収納部が設けられ、該照明器具収納部にはアッパーガードプレートの後側に向かった光線通過口が設けられている。該照明器具収納部内に収納される細長型照明器具の発光体は、該光線通過口に向かうように設けられている。本考案が上述した新規な構造と技術的特徴を有しているので、背景技術に記載されている従来の構造に比べてみると、本考案は次のような考案の効果を奏することができる。すなわち、前記発光体が発光するとき、その光線が光線通過口を通してアッパーガードプレートの後側に照射されるので、アッパーガードプレートによるライト式補助警告効果を奏することができる。具体的な応用においては、前記発光体を自動車の既有のブレーキライトの電気回路又は方向表示灯の電気回路に電気接続させて、それいがブレーキライト又は方向表示灯と同時に点滅するように設けることができる。既有のブレーキライト又は方向表示灯の輝度が不足するか、或いは既有のブレーキライト又は方向表示灯に故障、毀損などが発生する場合、本考案のアッパーガードプレートの発光機能により上記の問題を解決することができる。それにより、自動車のリアバンバーのアッパーガードプレートの付加機能や付加価値を向上させ、自動車の後方ライトの警告效果によって運転の安全性を向上させることができるという実用性と進歩性を有している。
【００２１】
上述した実施例に掲示されたのは、具体的に本考案を説明するために用いられる内容であり、文の中で専門用語で説明してきたが、それらを以って、本考案の実用新案登録請求の範囲を制限してはならず、当該技術の分かる者が、本考案の考えやコンセプトを理解したうえ、それらの変更や改造を行って、それと同等な効果を得たとしても、それらの変更や改造は全て、後述の実用新案登録請求の範囲に含まれるものとする。
【符号の説明】
【００２２】
０５  自動車リアバンバーの
０６  自動車のリアトランクドア
Ａ    アッパーガードプレート
１０  下表面
２０  上表面
３０  照明器具収納部
３１  光線通過口
３２  細長型照明器具
３３  長形照明ソケット
３４  発光体
３５  給電線路  
３６  光線拡散インターフェース
【図１】
0003192053.tif 000003
【図２】
0003192053.tif 000004
【図３】
0003192053.tif 000005
【図４】
0003192053.tif 000006
【図５】
0003192053.tif 000007
【図６】
0003192053.tif 000008
【図７】
0003192053.tif 000009
【図８】
0003192053.tif 000010
【図９】
0003192053.tif 000011
【図１０】
0003192053.tif 000012
【図１１】
0003192053.tif 000013